(57)【特許請求の範囲】
【請求項１】
階ドアが、階に面したスキンプレート（１）と、前記ドアの鉛直方向に設けられ前記スキンプレートに取り付けられたスチールセクション補強材（３）とを含むエレベータ階ドア用耐火装置において、
前記スチールセクション補強材（３）のシャフトに面する面は、加熱により発泡する耐火塗料層（５）を備えていることを特徴とするエレベータ階ドア用耐火装置。
【請求項２】
請求項１に記載の耐火装置において、前記スキンプレート（１）のシャフトに面する側には断熱材（２）が備えられ、前記スチールセクション補強材（３）は、実質的に該断熱材の厚みにわたって伸びていることを特徴とする耐火装置。
【請求項３】
請求項１に記載の耐火装置において、前記耐火塗料層（５）は、前記スチールセクション補強材（３）のシャフトに面する側にあることを特徴とする耐火装置。
【請求項４】
請求項１に記載の耐火装置において、前記耐火塗料層は、前記スチールセクション補強材（３）のシャフトに面する面に取り付けられまたは支持されたプレート（１６）上にあることを特徴とする耐火装置。
【請求項５】
請求項１ないし４のいずれかに記載の耐火装置において、前記スチールセクション補強材（３）のシャフトに面する面（４）は、実質的に、前記スキンプレート（１）に平行であることを特徴とする耐火装置。
【請求項６】
請求項２ないし５のいずれかに記載の耐火装置において、前記スチールセクション補強材（３）のシャフトに面する面（４）は、実質的に、前記断熱材（２）のシャフトに面する面（６）と同一平面上にあることを特徴とする耐火装置。
【請求項７】
請求項１ないし６のいずれかに記載の耐火装置において、前記スチールセクション補強材（３）は、箱からなり、該箱では、シャフト側の面で形成された補強用プレート（４）が、傾斜した側方プレート（７）によって前記スキンプレート（１）に接続されていることを特徴とする耐火装置。
【請求項８】
請求項７に記載の耐火装置において、前記側方プレート（７）のシャフトに対して傾斜して面する面に加熱により発泡する耐火塗料層（８）が備えられていることを特徴とする耐火装置。
【請求項９】
請求項７に記載の耐火装置において、前記補強用プレート（４）の前記スキンプレートに面する面に加熱により発泡する耐火塗料層（９）が備えられていることを特徴とする耐火装置。
【請求項１０】
請求項１ないし９のいずれかに記載の耐火装置において、前記スキンプレート（１）のシャフトに面する面に加熱により発泡する耐火塗料層（１０）が備えられていることを特徴とする耐火装置。
【発明の詳細な説明】
【０００１】
本発明は、請求項１の前段に記載のエレベータ階ドア用耐火装置に関するものである。
【０００２】
エレベータドアは、全体として、非可燃性の材料から作られている。この材料は燃えないが、これには更に、断熱性および防火性の材料が広く使用されていて、これはまず第一に、延焼および出火を防ぎ、人々が避難するためのより長い時間を提供するためである。
【０００３】
実際上、ドアの耐火性とは、隔壁力を意味する。隔壁は建物の防火技術設計において、中心となる概念である。隔壁は、既に発生してしまった火災を一定の領域に収まるよう制限し、救助および消火努力に必要な長さの時間を得、不要な損害を回避するために使用される。
【０００４】
エレベータドアのドアパネルは、全体として、階に面した側のドア面を形成する金属プレートのシャフト側の面に、ミネラルウールからなる層を設けていて、ドアパネルは、例えば、全体で約２０〜３０ｍｍの厚さを有する。しかし、ドアパネルは、ドアパネルを強化するため、スチールセクション補強材を設ける必要がある。スチールセクション補強材は、ドアパネルと実質的に等しい厚さを有し、したがって、それは断熱層を通して効率的な熱伝導路を形成してしまう。
【０００５】
先行するドアパネルは、スチールセクション補強材に、更なる断熱材を備えることができ、これはそれ用の十分なスペースを有するためであるが、先行ドアパネルが後続のドアパネルの断熱面に直接接触して移動するため、後続ドアパネルにはかかるスペースが得られない。
【０００６】
これらの問題を除去するため、少なくとも後続ドアパネルのスキンプレートの階側の面は、防炎塗料、すなわち、加熱により膨張して発泡する断熱材料を形成する物質で処理される。この断熱は、ドアの主たるスチール構造を熱から防護し、補強用スチールセクションで形成された熱伝導路を通した熱伝導を止める目的がある。
【０００７】
しかし、この従来技術構造は、明らかな欠点を有する。防炎塗料はスキンプレートの表面で目に見え、したがって接触や摩耗を受けるため、それが高質の耐火性を要求されていても、長年にわたって完全に無傷のままであったり、一様な厚さを保っていたりはできない。また、火災時には、階の火炎は塗料層に直接接触することとなるが、ほとんどの耐火塗料は可燃性である。したがって、火災時には、それらは、耐火または防火構造としての能力を早々に失うこととなる。
【０００８】
本発明は、上述の欠点を除去することを目的とする。本発明は、具体的には、信頼性があり、耐用年数の長いエレベータ階ドア用の新種の耐火装置を開示することを目的とする。
【０００９】
本発明の特徴については、特許請求の範囲を参照されたい。
【００１０】
本発明によるエレベータ階ドア用耐火装置では、階ドアは階に面したスキンプレートと、ドアの鉛直方向に設けられスキンプレートに取り付けられたスチールセクション補強材とを含む。
【００１１】
本発明によれば、補強用スチールセクションのシャフト側の面は、耐火塗料、すなわち加熱されると発泡する塗料の層を備えている。したがって、本発明は、加熱されることとなるドア自体のスチール構造に拘わらず、ドアを専ら、ドア越しの熱の伝達を止めるよう設計するという新規な基礎的概念に基づいている。したがって、耐火塗料は、ドアのシャフト側の面に塗布可能であり、目に見えず接触や摩耗を受けず、不変に保たれる。
【００１２】
発泡する耐火塗料は、補強用スチールセクションのシャフト側の面に直接に塗布可能である。または、別個のプレートを補強用のスチールセクションのシャフト側の面に、例えばネジによって取り付け、このプレートの表面を発泡塗料で処理してもよい。
【００１３】
ドアは好ましくは、スキンプレートのシャフト側の面に配置された断熱材を備えている。この場合、補強用スチールセクションは、好ましくは、断熱材の厚みにわたって伸びている。
【００１４】
補強用スチールセクションは、スキンプレートに実質的に平行で耐火塗料が塗布されるシャフト側の面を含んでよい。この面は、ドアの断熱材の残部のシャフト側の面と実質的に同一平面上にある。
【００１５】
本発明の実施例では、スチールセクション補強材は次のような箱からなる。すなわち、シャフト側の面で形成された補強用プレートがドアのスキンプレートに、例えば傾斜した側方プレートによって接続されて、補強材の断面はシャフトに向かって先細りの台形となる。この場合、耐火塗料は、シャフトに対して傾いて面した側方プレート面にも塗布できる。スチールセクション補強材の他の面、すなわち、例えばスキンプレートに対して平行にまたは傾斜して面する面にも、同様に耐火塗料を使用してもよい。
【００１６】
本発明の実施例では、耐火塗料はスキンプレートのシャフト側の面全体に塗布され、その上に断熱材が取り付けられるか、または断熱材なしのままにしてもよい。
【００１７】
従来技術に比較すると、本発明による耐火装置は、重要な利点を有する。耐火装置は、視野に入らず、したがって摩耗の影響を受けずに、階ドアに配置可能である。したがって、耐火装置は、無傷のまま、長期間にわたって良好な稼働状態に保たれる。さらに、火災時には、耐火塗料は火炎に対して直接に接触することとはならず、スチール構造を介して熱接触するのみであるため、燃焼されず、断熱材としての機能も、現行の方式で用いられている耐火塗料に比較して相当に長期間保持される。
【００１８】
次に、本発明によるエレベータ階ドアの耐火装置の断面を示す添付図面を参照して、本発明を詳細に説明する。
【００１９】
図１の実施例では、後続ドアパネル１１および先行ドアパネル１２は、等しい基礎構造を有する。それらは、全体としてスチールで作られたスキンプレート１を含み、これらはドアの階に面した側に配置されている。そのフランジ１３によってスキンプレート１のシャフト側の面に取り付けられているのは、スチールセクション補強材３であり、これは、スキンプレート１に平行な補強用プレート４と、傾斜した各側方プレート７とで構成されている。ドアパネルは両方とも、スキンプレート１のシャフトに面した側に配置された断熱材２を備えていて、断熱層の厚さは、スチールセクション補強材３の厚さと実質的に等しい。先行ドアパネル１２は、スチールセクション補強材３の領域に、他の断熱材１４を備えている。当該他の断熱材は、階からシャフトへの、スチールセクション補強材を通した熱の漏洩を防ぐ。
【００２０】
後続ドアパネル１１では、補強材を通した熱の漏洩を減らすため、他の断熱材１５をスチールセクション補強材３の内部に使用可能である。しかし、これは、後続ドアパネルを通した熱の漏洩を著しく防止することにはならない。先行ドアパネル１２で用いられる種類の断熱材１４を後続ドアパネル１１が備えることができないのは、各ドアパネルが互いに対してほとんど距離ゼロで移動し、かかる断熱材用のスペースを残していないからである。
【００２１】
階からシャフトへの、スチールセクション補強材３を通した熱の漏洩を防ぐため、補強用プレート４のシャフト側の外面は、耐火塗料５、すなわち加熱により発泡する塗料層で被覆される。スチールセクション補強材３の側方プレート７のシャフト側の傾斜面をカバーする塗料層８を形成するため、耐火塗料層を拡張することもできる。
【００２２】
耐火塗料の断熱効果をさらに高める必要がある場合は、加熱により発泡する塗料層９を、補強用プレート４の階側の面に塗布することもでき、同様に、スキンプレート１およびこれに取り付けられた補強材３のフランジ１３の階側の面にも、加熱により発泡する塗料層１０を備えてよい。
【００２３】
他の構造として、図１は加熱により発泡する塗料層１７を備えたプレート１６を示し、このプレートを、スチールセクション補強材３のシャフト側の面に、例えばネジによって、かかる塗料層をその面に直接に塗布する代わりに、取付可能である。
【００２４】
むろん、先行ドアパネル１２も、特に各ドアパネルのうちいずれか一方に断熱材が使用されない場合に、本発明による発泡する塗料層を備えてよい。
【００２５】
耐火塗料、すなわち加熱により発泡する本発明に用いられる塗料層は、この用途に適用可能な様々な公知の製品で構成してよいが、それは本願では詳細には述べない。
【００２６】
以上、本発明を添付図面を参照して実施例により説明したが、本発明の様々な他の実施例を、特許請求の範囲に記載した発明概念の範囲内で実現可能である。
【図面の簡単な説明】
【図１】本発明によるエレベータ階ドアの耐火装置の断面を示す図である。
【図１】
0003548119.tif 000002